(57)【要約】【課題】簡単な取付作業で固定することができ、容易且つ迅速にデッキプレートの上面側へ設置して補強することができ、施工中の上載荷重がデッキプレートへ掛かっても、デッキプレートの撓みを確実に低減することができ、施工後の合成スラブの性能を高めて大きな上載荷重に対応し、撓みが少なく快適な床環境を構築することができる、デッキプレートの補強部材及び同補強部材を使用した合成スラブ構造を提供する。【解決手段】デッキプレート１の山部１０及び谷部１１が延長する方向に直交する方向へ延びてデッキプレート１の上部フランジへ設置される本体部２０と、本体部２０に形成されて谷部１１へ嵌め込まれる下向き凸形状の嵌合部２１とで構成されている。本体部２０は、線材又は板材から成ると共に、嵌合部２１を少なくとも２つ備えている。嵌合部２１は、左右傾斜部１３、１３の段部１２、１２それぞれに係止する係止部３を備えている。【選択図】図２
2013209838.tif 000002
【特許請求の範囲】
【請求項１】
山部と谷部とが傾斜部を介して交互に連なる波形断面を成し、前記傾斜部に段部が形成された合成スラブ用デッキプレートに用いて、コンクリート打設前に前記デッキプレートの上面側へ配置してデッキプレートの山部と谷部を補強するデッキプレートの補強部材であって、
前記デッキプレートの山部及び谷部が延長する方向に直交する方向へ延びて同デッキプレートの上部フランジへ設置される本体部と、該本体部に形成されて前記デッキプレートの谷部へ嵌め込まれる下向き凸形状の嵌合部とで構成されており、
前記本体部は、線材又は板材から成ると共に、前記嵌合部を少なくとも２つ備えており、
前記嵌合部は、前記デッキプレートの谷部を形成する左右傾斜部の段部のそれぞれに係止する係止部を備えていることを特徴とする、デッキプレートの補強部材。
【請求項２】
補強部材の嵌合部は、内方へ弾性変形させて、デッキプレートの谷部へ嵌め込まれ、係止部をデッキプレートの傾斜部の段部へ係止させることを特徴とする、請求項１に記載したデッキプレートの補強部材。
【請求項３】
山部と谷部とが傾斜部を介して交互に連なる波形断面を成し、前記傾斜部に段部が形成された合成スラブ用デッキプレートに用いて、コンクリート打設前にデッキプレート上面側へ配置してデッキプレートの山部と谷部を補強するデッキプレートの補強部材であって、
前記デッキプレートの山部及び谷部が延長する方向に直交する方向へ延びてデッキプレートの上部フランジへ設置される本体部と、前記本体部に形成されて前記デッキプレートの谷部を形成する左右傾斜部の段部それぞれに係止する突起部とで構成されており、
前記本体部は、線材又は板材から成ると共に、前記左右傾斜部の段部のそれぞれに係止する突起部の組を少なくとも２組備えていることを特徴とする、デッキプレートの補強部材。
【請求項４】
補強部材の突起部は、内方へ弾性変形させて、デッキプレートの傾斜部の段部へ係止させることを特徴とする、請求項３に記載したデッキプレートの補強部材。
【請求項５】
前記請求項１又は２に記載したデッキプレートの補強部材を、山部と谷部とが傾斜部を介して交互に連なる波形断面を成し、前記傾斜部に段部が形成された合成スラブ用デッキプレート上面側へ設置し、前記補強部材を設置したデッキプレート上面へコンクリートを打設して成り、
前記デッキプレートに上載荷重が働いた際に、前記デッキプレートの谷部に嵌め込んだ嵌合部の突っ張り作用と、少なくとも２つの前記嵌合部同士を繋ぐ本体部の突っ張り作用で、同デッキプレートの山部と谷部の変形を拘束する構成であることを特徴とする、合成スラブ構造。
【請求項６】
前記請求項３又は４に記載したデッキプレートの補強部材を、山部と谷部とが傾斜部を介して交互に連なる波形断面を成し、前記傾斜部に段部が形成された合成スラブ用デッキプレート上面側へ設置し、前記補強部材を設置したデッキプレート上面へコンクリートと打設して成り、
前記デッキプレートに上載荷重が働いた際に、前記デッキプレートの段部に係止させた突起部の組を繋ぐ本体部の突っ張り作用で、同デッキプレートの山部と谷部の変形を拘束する構成であることを特徴とする、合成スラブ構造。
【発明の詳細な説明】
【技術分野】
【０００１】
この発明は、山部と谷部とが傾斜部を介して交互に連なる波形断面の合成スラブ用デッキプレートの上部フランジへ設置されるデッキプレートの補強部材及び同補強部材を使用した合成スラブ構造の技術分野に属し、更に云えば、簡単な取付作業で固定することができ、容易且つ迅速にデッキプレートの上面側へ設置して補強することができ、コンクリート打設等による施工中の上載荷重がデッキプレートへ掛かっても、同デッキプレートの撓みを確実に低減することができ、施工後の合成スラブの性能を高めて大きな上載荷重に対応し、撓みが少なく快適な床環境を構築することができる、デッキプレートの補強部材及び同補強部材を使用した合成スラブ構造に関する。
【背景技術】
【０００２】
図１１に示した公知の合成スラブ８は、断面が略台形の山部と断面が略倒立台形の谷部とが傾斜部を介して交互に連なる波形断面のデッキプレート１の上部フランジへ、鉄筋を網状に配置して成る溶接金網２５を設置し、デッキプレート上面にコンクリート６を打設して製造される構成であり、間隔をあけて配置した複数の支持梁７…（鉄骨梁）上面に設置される。
前記溶接金網２５は、コンクリート６のひび割れ拡大を防止する目的で設置される。この溶接金網２５は、デッキプレート１の上部フランジへ直接溶接したり、或いはデッキプレート１の山部や谷部へ設置したスペーサーを利用して設置する方法が一般的に行われており、コンクリート打設時に溶接金網２５が沈下したり、或いは浮き上がったりしないように固定されている。
【０００３】
ところで、合成スラブを製造するに際し、デッキプレート１には、打設するコンクリートの荷重や、作業者が必要に応じてデッキプレート１上面へ乗ることによる荷重が掛かる。すると、図１０に示したように、デッキプレート１の山部１０及び谷部１１が延長する方向に直交する方向（以下、弱軸方向という場合がある。）において山部１０には拡幅変形力Ｔが作用し、谷部１１においては減幅変形力Ｐが作用し、その結果、前記デッキプレート１が下方に撓む（蛇腹変形を起こす）問題が発生する。
これは、デッキプレート１の板厚が１．０ｍｍ〜１．６ｍｍ程度と非常に薄いことに加え、断面が波形状であることに起因する変形であり、施工中に型枠材として要求されるコンクリート荷重などの上載荷重に対する性能や、施工後に構造部材として要求される上載荷重に対する性能を低下させる原因となる。
このような合成スラブ８を間隔をあけて配置した支持梁７間に載置する場合、支持梁７の間隔を狭く設計して、合成スラブ８の耐力を十分に確保する措置が採られるが、支持梁７の設置本数が増えて構造上及び経済上好ましくない。
そこで、デッキプレート１に上載荷重が掛かっても、同デッキプレート１が撓みにくく、特にデッキプレート１の山部１０及び谷部１１の延長方向であるデッキプレート長手方向と直交する方向、つまり弱軸方向へ撓んでしまう蛇腹変形を低減させるように、デッキプレート１の山部１０や谷部１１の変形を拘束して剛性を高めることが考えられる。
【０００４】
上記問題について、デッキプレートの谷部へ設置されて、補強効果があるかのようにみえる部材として、例えば、下記特許文献１がある。この特許文献１に開示されたデッキプレートの補強部材は、デッキプレートの各谷部へ設置したスペーサーを利用して支持される構成である。
前記スペーサーは、同じ谷部内へ嵌め込まれる２つの脚部と、その脚部の上端部を連結する鉄筋で構成されている。
前記脚部は倒立Ｖ字形状で成り、両端部には外側へ向かって水平に屈曲した係止部が形成されている。前記係止部がデッキプレートの谷部の底面において同谷部を形成する左右傾斜部にそれぞれ弾性的に当接することでスペーサーが前記谷部へ固定される。
補強部材は、山部及び谷部が延長するデッキプレート長手方向と直交する方向に配置され、各谷部へ設置されたスペーサーの鉄筋へ番線等で固定されて設置されている。
【０００５】
また、上記特許文献１と同じようにデッキプレートの谷部へ設置されて、補強効果があるかのようにみえる部材として、下記特許文献２がある。この特許文献２には、デッキプレートの山部及び谷部が延長するデッキプレート長手方向へ補強部材を設置するために用いるスペーサーが開示されている。
前記スペーサーは、谷部に載置された係止杆部に支持されて複数の山部を跨いだ配置に設置したスペーサー本体に設けられた鉄筋受荷部で鉄筋を支持する構成とされている。前記係止杆部の両端部には外側へ向かって水平に屈曲した鈎部が同じ向きに形成されており、該鈎部をデッキプレートの傾斜側壁の下端部に形成されたリブへ嵌め込んで係止させることで、前記スペーサーがデッキプレートへ設置される。前記金属線材には、デッキプレートの谷部の位置に、下向きに屈曲させた鉄筋受架部が形成されており、該鉄筋受架部へ鉄筋で成る補強部材が支持される。
【先行技術文献】
【特許文献】
【０００６】
【特許文献１】実用新案登録第３０２８０３８号公報
【特許文献２】特開平１０−１２１６６０号公報
【発明の概要】
【発明が解決しようとする課題】
【０００７】
上記特許文献１に開示されたデッキプレートに使用されるスペーサーは、係止部をデッキプレートの山部両側面にそれぞれ弾性的に当接させたに過ぎない構成であるから、同係止部でデッキプレートの谷部又は山部の変形を拘束するという技術的思想はなく、上載荷重によるデッキプレートの撓みを低減できる構成にはなっていない。
また、上記特許文献２に開示されたデッキプレートに使用されるスペーサーも、谷部に載置された係止杆部に支持されて、複数の山部を跨いだ配置に設置したスペーサー本体に設けられた鉄筋受荷部で鉄筋を支持する構成に過ぎず、デッキプレートの山部及び谷部の変形を拘束するという技術的思想はなく、上載荷重によるデッキプレートの撓みを低減できる構成にはなっていない。
【０００８】
本発明の目的は、溶接やスペーサーの設置等の必要がなく、簡単な取付作業で固定することができ、容易且つ迅速にデッキプレートの上部フランジへ補強部材を設置して補強することができると共に、該補強部材でデッキプレートの山部及び谷部の変形を拘束してデッキプレートの弱軸方向への撓みに抵抗することで、コンクリート打設等による施工中の上載荷重がデッキプレートへ掛かっても、同デッキプレートの撓みを確実に低減することができ、また、施工後の合成スラブの性能を高めて大きな上載荷重に対応し、撓みが少なく快適な床環境を構築することができる、デッキプレートの補強部材及び同補強部材を使用した合成スラブ構造を提供することである。
【課題を解決するための手段】
【０００９】
上記した従来技術の課題を解決する手段として、請求項１に記載した発明に係るデッキプレートの補強部材は、
山部と谷部とが傾斜部を介して交互に連なる波形断面を成し、前記傾斜部に段部が形成された合成スラブ用デッキプレートに用いて、コンクリート打設前に前記デッキプレートの上面側へ配置してデッキプレートの山部と谷部を補強するデッキプレートの補強部材であって、
前記デッキプレートの山部及び谷部が延長する方向に直交する方向へ延びて同デッキプレートの上部フランジへ設置される本体部と、該本体部に形成されて前記デッキプレートの谷部へ嵌め込まれる下向き凸形状の嵌合部とで構成されており、
前記本体部は、線材又は板材から成ると共に、前記嵌合部を少なくとも２つ備えており、
前記嵌合部は、前記デッキプレートの谷部を形成する左右傾斜部の段部のそれぞれに係止する係止部を備えていることを特徴とする。
【００１０】
請求項２に記載した発明は、請求項１に記載したデッキプレートの補強部材において、
補強部材の嵌合部は、内方へ弾性変形させて、デッキプレートの谷部へ嵌め込まれ、係止部をデッキプレートの傾斜部の段部へ係止させることを特徴とする。
【００１１】
請求項３に記載した発明に係るデッキプレートの補強部材は、
山部と谷部とが傾斜部を介して交互に連なる波形断面を成し、前記傾斜部に段部が形成された合成スラブ用デッキプレートに用いて、コンクリート打設前にデッキプレート上面側へ配置してデッキプレートの山部と谷部を補強するデッキプレートの補強部材であって、
前記デッキプレートの山部及び谷部が延長する方向に直交する方向へ延びてデッキプレートの上部フランジへ設置される本体部と、前記本体部に形成されて前記デッキプレートの谷部を形成する左右傾斜部の段部それぞれに係止する突起部とで構成されており、
前記本体部は、線材又は板材から成ると共に、前記左右傾斜部の段部のそれぞれに係止する突起部の組を少なくとも２組備えていることを特徴とする。
【００１２】
請求項４に記載した発明は、請求項３に記載したデッキプレートの補強部材において、
補強部材の突起部は、内方へ弾性変形させて、デッキプレートの傾斜部の段部へ係止させることを特徴とする。
【００１３】
請求項５に記載した発明に係る合成スラブ構造は、
前記請求項１又は２に記載したデッキプレートの補強部材を、山部と谷部とが傾斜部を介して交互に連なる波形断面を成し、前記傾斜部に段部が形成された合成スラブ用デッキプレート上面側へ設置し、前記補強部材を設置したデッキプレート上面へコンクリートを打設して成り、
前記デッキプレートに上載荷重が働いた際に、前記デッキプレートの谷部に嵌め込んだ嵌合部の突っ張り作用と、少なくとも２つの前記嵌合部同士を繋ぐ本体部の突っ張り作用で、同デッキプレートの山部と谷部の変形を拘束する構成であることを特徴とする。
【００１４】
請求項６に記載した発明に係る合成スラブ構造は、
前記請求項３又は４に記載したデッキプレートの補強部材を、山部と谷部とが傾斜部を介して交互に連なる波形断面を成し、前記傾斜部に段部が形成された合成スラブ用デッキプレート上面側へ設置し、前記補強部材を設置したデッキプレート上面へコンクリートと打設して成り、
前記デッキプレートに上載荷重が働いた際に、前記デッキプレートの段部に係止させた突起部の組を繋ぐ本体部の突っ張り作用で、同デッキプレートの山部と谷部の変形を拘束する構成であることを特徴とする。
【発明の効果】
【００１５】
請求項１及び２に記載した発明に係るデッキプレートの補強部材は、デッキプレート１の谷部１１へ嵌合部２１を嵌め込み、該嵌合部２１の係止部３を段部１２へ係止させるだけの簡単な取付作業で固定できるから、溶接やスペーサーの設置等の必要がなく、容易且つ迅速にデッキプレート１の上部フランジへ設置して補強することができる。
また、前記デッキプレート１へコンクリート打設等による施工中の上載荷重が掛かっても、デッキプレート１の谷部１１へ嵌め込んだ嵌合部２１の突っ張り作用Ｐ’で、デッキプレート１の谷部１１に働く減幅変形力Ｐに抵抗して同谷部１１の変形を拘束する。更に、少なくとも２つの前記嵌合部２１により少なくとも２つの谷部１１の変形を拘束することで少なくとも２つの前記嵌合部２１、２１同士を繋ぐ本体部２０の突っ張り作用Ｔ’により、山部１０に働く拡幅変形力Ｔにも抵抗して同山部１０の変形を拘束して前記デッキプレート１の弱軸方向への撓みに抵抗するので、同デッキプレート１の撓みを確実に低減することができる。
請求項５に記載した発明に係る合成スラブ構造は、請求項１又は２に記載した発明に係るデッキプレートの補強部材２をデッキプレート１の上面側へ設置し、該デッキプレート１の上面へコンクリートを打設した構成であり、デッキプレート１に上載荷重が働いた際に、同デッキプレート１の谷部１１に嵌め込んだ嵌合部２１の突っ張り作用Ｐ’と、少なくとも２つの前記嵌め込んだ嵌合部２１、２１同士を繋ぐ本体部２０の突っ張り作用Ｔ’で、同デッキプレート１の山部１０と谷部１１の変形を拘束するので、合成スラブの性能を高めることができ、大きな上載荷重に対応し撓みが少なく快適な床環境を構築することができる。
【００１６】
請求項３及び４に記載した発明に係るデッキプレートの補強部材は、デッキプレート１の谷部１１を形成する左右傾斜部１３、１３の段部１２のそれぞれに突起部４１、４１を係止させるだけの簡単な取付作業で固定できるから、溶接やスペーサーの設置等の必要がなく、容易且つ迅速にデッキプレート１の上部フランジへ設置して補強することができる。
また、前記デッキプレート１へコンクリート打設等による施工中の上載荷重が掛かっても、デッキプレート１の段部１２へ係止させた突起部４１の突っ張り作用Ｐ’で、デッキプレート１の谷部１１に働く減幅変形力Ｐに抵抗して谷部１１の変形を拘束する。更に、同谷部１１の変形を拘束することで少なくとも２組の突起部４１、４１同士を繋ぐ本体部４０の突っ張り作用Ｔ’により、山部１０に働く拡幅変形力Ｔにも抵抗して同山部１０の変形を拘束して前記デッキプレート１の弱軸方向への撓みに抵抗するので、同デッキプレート１の撓みを確実に低減することができる。
請求項６に記載した発明に係る合成スラブ構造は、請求項３又は４に記載した発明に係るデッキプレートの補強部材２をデッキプレート１の上面側へ設置し、該デッキプレート１の上面へコンクリートを打設した構成であり、デッキプレート１に上載荷重が働いた際に、同デッキプレート１の段部１２へ係止させた突起部４１、４１（４１ａ、４１ｂ）を繋ぐ本体部４０の突っ張り作用Ｐ’と、前記段部１２に係止させた少なくとも２組の突起部４１、４１（４１ａ、４１ｂ）同士を繋ぐ本体部４０の突っ張り作用Ｔ’で、同デッキプレート１の山部１０と谷部１１の変形を拘束するので、合成スラブの性能を高めることができ、大きな上載荷重に対応し撓みが少なく快適な床環境を構築することができる。
【図面の簡単な説明】
【００１７】
【図１】デッキプレートへ実施例１の補強部材を設置した状態を示した斜視図である。
【図２】デッキプレートへ実施例１の補強部材を設置した状態を示した正面図である。
【図３】（ａ）は段部を山部の上方部分に形成したデッキプレートへ補強部材を設置した状態を示したデッキプレート谷部の拡大斜視図、（ｂ）は段部を山部の下方部分に形成したデッキプレートへ補強部材を設置した状態を示したデッキプレート谷部の拡大斜視図である。
【図４】（ａ）は段部をエンボス加工により設けて成るデッキプレートへ補強部材を設置した状態を示した斜視図、（ｂ）はデッキプレートの谷部を拡大して示した正面図である。
【図５】デッキプレートへ板材で構成した補強部材を設置した状態を示した斜視図である。
【図６】（ａ）及び（ｂ）は、補強部材の異なる実施形態を示した説明図である。
【図７】補強部材を設置したデッキプレートへコンクリート打設等の上載荷重が掛かる場合に作用する減幅変形力Ｐと対応する突っ張り作用Ｐ’及び、拡幅変形力Ｔと対応する突っ張りＴ’を示した説明図である。
【図８】開口部を有するデッキプレートの同開口部周辺を補強部材で補強した実施例を示した斜視図である。
【図９】（ａ）及び（ｂ）は、実施例２の補強部材を示した説明図である。
【図１０】デッキプレートへコンクリート打設等の上載荷重が掛かる場合に同デッキプレートへ作用する拡幅変形力Ｔ及び減幅変形力Ｐを示した説明図である。
【図１１】間隔をあけて配置した支持梁間に従来の合成スラブを設置した実施例を一部破断して示した斜視図である。
【発明を実施するための形態】
【００１８】
本発明に係るデッキプレートの補強部材は、デッキプレート１の山部１０及び谷部１１が延長する方向に直交する方向へ延びてデッキプレート１の上部フランジへ設置される本体部２０と、本体部２０に形成されてデッキプレート１の谷部１１へ嵌め込まれる下向き凸形状の嵌合部２１とで構成されている。本体部２０は、線材又は板材から成ると共に、嵌合部２１を少なくとも２つ備えている。嵌合部２１は、デッキプレート１の谷部１１を形成する左右傾斜部１３、１３の段部１２、１２それぞれに係止する係止部３を備えている。
【００１９】
本発明に係る合成スラブ構造は、上記補強部材２を、山部１０と谷部１１とが傾斜部１３を介して交互に連なる波形断面を成し、傾斜部１３に段部１２が形成された合成スラブ用デッキプレート１の上面側へ配置し、補強部材２を配置したデッキプレート１の上面へコンクリートを打設して構成されている。デッキプレート１に上載荷重が働いた際に、デッキプレート１の谷部１１に嵌め込んだ嵌合部２１の突っ張り作用Ｐ’と、少なくとも２つの前記嵌め込んだ嵌合部２１、２１同士を繋ぐ本体部２０の突っ張り作用Ｔ’で、デッキプレート１の山部１０と谷部１１の変形を拘束する構成である。
【実施例１】
【００２０】
先ず、請求項１及び２に記載した発明に係るデッキプレートの補強部材、及び請求項５に記載した発明に係る同補強部材を使用した合成スラブ構造を図１〜図８に示した実施例に基づいて説明する。
図１〜８に示したデッキプレート１の補強部材２は、断面形状が略台形の山部１０と、略倒立台形状の谷部１１とが傾斜部１３を介して交互に連なる波形断面のデッキプレート１を用いて、コンクリート打設前に、前記デッキプレート１の上面側であって山部１０及び谷部１１が延長する方向に直交する方向（弱軸方向）へ間隔をあけて複数本設置して、デッキプレート１を補強する部材である。
前記デッキプレート１の弱軸方向へ補強部材２を設置しコンクリートを打設して成る合成スラブは、デッキプレート１の山部１０及び谷部１１の延長方向と弱軸方向に力を分散できる所謂二方向性合成スラブを構成するので、デッキプレート１の山部１０及び谷部１１の延長方向にのみ力を伝達する従来の一方向性合成スラブと比べて高い性能を有する。
【００２１】
上記デッキプレート１は、一例として図２に示すように、３つの山部１０と２つの谷部１１とで成るプレート単体を複数枚並べ、隣接するプレート単体の弱軸方向の端部同士を連結することにより形成される。前記プレート単体の弱軸方向の端部には、図３に拡大して示したように、谷部１１と同一面上にある底面部の端部から上方に屈曲して立ち上がる係合部１４、１５が設けられており、一側の上部係合部１４は他側の下部係合部１５の上に載ったとき、上方が離脱しないように掛け止まる屈曲した断面形状とされている。
因みに、前記デッキプレート１の寸法は、一例として厚さ１ｍｍ〜１．６ｍｍ程度、高さ５０ｍｍ〜１２０ｍｍ（山高）程度で構成されている。但し、前記デッキプレート１の寸法及び形状、係合部１４、１５の形状は、この限りではなく、敷地面積、支持梁の設置間隔、構造上必要な強度等に応じて適宜設計変更可能である。
【００２２】
前記デッキプレート１の谷部１１を形成する左右傾斜部１３、１３に形成された段部１２は、図３（ａ）の実施例では山部１０の上方部位にくの字状に屈曲させて内方へ食い込む顎状に形成されている。
但し、図３（ｂ）に示したように、前記形状の段部１２を山部１０の下方部位に形成された構成もある。
また、前記段部１２は、図４（ａ）、（ｂ）に示したようにエンボス加工を施して外方へ向かって突き出す凸部１６として、山部１０の延長方向に沿って複数設けた構成としてもよい。なお、図４に示した補強部材２ｂは、図１〜３に示した補強部材２と異なる実施形態の一例を示したに過ぎず、前記エンボス加工を施したデッキプレート１へ上記図１〜３に示した補強部材２を設置することも勿論できることを念のため付言する。
因みに、前記段部１２は、後述する嵌合部２１の係止部３又は突起部４１を係止させる役割を果たす他、デッキプレート１の上面に打設したコンクリート１０を拘束する効果も発揮する。
【００２３】
上記補強部材２は、デッキプレート１の弱軸方向へ延びて同デッキプレート１の上部フランジへ設置される本体部２０と、該本体部２０に形成されて前記デッキプレート１の谷部１１へ嵌め込まれる下向き凸形状の嵌合部２１とで構成されている。
図１〜３に示した前記本体部２０は、上側鉄筋２０ａと下側鉄筋２０ｂとが組鉄筋２０ｃで連結された構成である。前記鉄筋は、一例として直径６ｍｍ程度であるが、強度に合わせて適宜変更である。
前記嵌合部２１は、本体部２０の下側鉄筋２０ｂに形成されており、上記デッキプレート１の段部１２（顎部）へ係止させる係止部３を備えている。この嵌合部２１は、図１及び２に示したように、弱軸方向へ向かって全ての谷部１１へ嵌る配置に設けた構成で実施しても良いし、例えば前記谷部１１に対して一つおき又は二つおきに設けた構成で実施することもできる。要するに、デッキプレート１の山部１０と谷部１１の変形を拘束するべく少なくとも２つ設ければ良く、構造上必要な強度等に応じて適宜設計変更可能である。
【００２４】
なお、上記補強部材２は、図１〜３に示した形状以外に、例えば図４〜６に示した形状で実施することもできる。
図５に示した前記補強部材２ａは、上記本体部２０と嵌合部２１とが厚さ２．３ｍｍ〜４．５ｍｍ程度の鉄板で構成されている。前記補強部材２ａは、嵌合部２１に開口部３０を設けて軽量化及び打設したコンクリートの流動性を図った構成であるが、構造上必要に応じて設けない場合もある。
また、図４及び図６（ａ）、（ｂ）に示した補強部材２ｂ〜２ｄは、直線形状の鉄筋でなる本体部２０に、デッキプレート１の左右傾斜部１３、１３の段部１２、１２それぞれに係止する係止部３を備えた下向き凸形状の嵌合部２１を溶接して一体的に形成した構成である。
なお、図１〜６に基づいて本実施例１の補強部材２（２ａ〜２ｄ）の構成を説明したが、図示した実施形態に限定されず、種々のバリエーションで実施可能であることを念のため付言する。
【００２５】
上記形状で成る補強部材２をデッキプレート１の上部フランジへ設置するには、同補強部材２の嵌合部２１に左右から圧縮力を加えて内方へ弾性変形させ、その変形状態のままデッキプレート１の谷部１１へ押し込み、前記嵌合部２１の係止部３を段部１２へ係止させることにより行われる。
即ち、前記補強部材２は、デッキプレート１の谷部１１へ嵌合部２１を嵌め込み、該嵌合部２１の係止部３を段部１２へ係止させるだけの簡単な取付作業で固定できるから、溶接作業やスペーサーの設置作業等は一切必要がなく、容易且つ迅速にデッキプレート１の上部フランジへ設置して補強することができる。
なお、前記デッキプレート１の谷部１１の延長方向の端部から、同谷部１１へ前記補強部材２の嵌合部２１を横方向に嵌め込み、前記延長方向に沿って所定の位置までスライドさせて設置する方法も好適に行われる。
【００２６】
したがって、図７に示したように、前記デッキプレート１へコンクリート打設等による施工中の上載荷重が掛かっても、デッキプレート１の谷部１１へ嵌め込んだ嵌合部２１の突っ張り作用で、デッキプレート１の山部１０に作用する圧縮力に抵抗して山部１０の変形を拘束すると共に、同山部１０の変形を拘束することで谷部１１に作用する引っ張り力にも抵抗して同谷部１１の変形を拘束して、前記デッキプレート１の弱軸方向への撓みに抵抗するので、同デッキプレート１の撓みを確実に低減することができる。
また、前記補強部材２の嵌合部２１による突っ張り作用で、デッキプレート１の係合部１４、１５（図３（ａ）、（ｂ）を参照）をしっかりと嵌め合わせることができるので、打設したコンクリートが前記係合部１３、１４の隙間から漏れ出るといった事態はなく、安全に良好に合成スラブ１の施工を行うことができる。
【００２７】
更に、上記構成の補強部材２を、山部１０と谷部１１とが傾斜部１３を介して交互に連なる波形断面を成し、前記傾斜部１３に段部１２が形成された合成スラブ用デッキプレート１の上面側へ設置し、前記補強部材２を設置したデッキプレート１の上面へコンクリートを打設して成る合成スラブ構造は、デッキプレート１に上載荷重が働いた際に、前記デッキプレート１の谷部１１に嵌め込んだ嵌合部２１の突っ張り作用Ｐ’と、少なくとも２つの前記嵌め込んだ嵌合部２１、２１同士を繋ぐ本体部２０の突っ張り作用Ｔ’で、同デッキプレート１の山部１０と谷部１１の変形を拘束する構成であるから、合成スラブの性能を高めることができ、大きな上載荷重に対応し撓みが少なく快適な床環境を構築することができる。
【００２８】
図８に示した実施例は、開口部Ａを有するデッキプレート１’の同開口部Ａ周辺を、上記補強部材２と鉄筋５で補強した構成を示している。前記デッキプレート１’の開口部Ａ周辺の弱軸方向は、前記補強部材２で補強し、開口部Ａ周辺の山部１０及び谷部１１の延長方向は、同補強部材２、２と直交させて設置した鉄筋５で補強している。前記補強部材２と鉄筋５は、交差する箇所を溶接で固定している。
したがって、本発明に係るデッキプレート１の補強部材２を使用すれば、開口部Ａを有するデッキプレート１’であっても簡単に補強することができる。
【実施例２】
【００２９】
次に、請求項３及び４に記載した発明に係るデッキプレートの補強部材、及び同補強部材を使用した合成スラブ構造の実施例を図９に基づいて説明する。
先ず、図９（ａ）に示した補強部材４は、デッキプレート１の上部フランジへ、山部１０及び谷部１１が延長する方向に直交する方向（弱軸方向）へ延びてデッキプレート１の上部フランジへ設置される本体部４０と、前記本体部４０に形成されて前記デッキプレート１の谷部１１を形成する左右傾斜部１３、１３の段部１２、１２のそれぞれに係止する突起部４１、４１とで構成されている。
前記本体部４０は鉄筋で構成され、前記デッキプレート１の左右傾斜部１３、１３の段部１２、１２のそれぞれに係止する突起部４１、４１の組を少なくとも２組備えている。
前記突起部４１、４１は、前記段部１２へ向かってくの字状に屈曲する形状を成し、その上端が前記本体部４０へそれぞれ溶接されている。
【００３０】
次に、図９（ｂ）に示した補強部材４’も、デッキプレート１の上部フランジへ、山部１０及び谷部１１が延長する方向に直交する方向（弱軸方向）へ延びてデッキプレート１の上部フランジへ設置される本体部４０と、前記本体部４０に形成されて前記デッキプレート１の谷部１１を形成する左右傾斜部１３、１３の段部１２、１２それぞれに係止する突起部４１ａ、４１ｂとで構成されている。
前記本体部４０は鉄筋で構成され、前記デッキプレート１の左右傾斜部１３、１３の段部１２、１２それぞれに係止する突起部４１ａ、４１ｂの組を少なくとも２組備えている。
図９（ｂ）に示す補強部材４’の突起部４１ａ、４１ｂは、右側の突起部４１ａが左側の段部１２へ向かって下向きに屈曲するくの字状に形成されて同左側の段部１２へ係止し、左側の突起部４１ｂは右側の段部１２へ向かって下向きに屈曲するくの字形状に形成され同右側の段部１２へ係止する構成である。前記各突起部４１ａ、４１ｂは、その上端が本体部４０へそれぞれ溶接されている。
なお、前記本体部４０は鉄板等の板材で構成しても良いし、前記突起部４１の組は少なくとも２つ以上備えていれば良く、図示した実施例に限定されない。
【００３１】
なお、上記補強部材４（４’）の形状は、図９（ａ）、（ｂ）に示した形状に限定されない。要するに、前記デッキプレート１の段部１２へ係止し、後述するように左右の突起部４１、４１（４１ａ、４１ｂ）の突っ張り作用Ｐ’と、少なくとも２組の前記段部１２に係止させた突起部４１、４１（４１ａ、４１ｂ）同士を繋ぐ本体部４０の突っ張り作用Ｔ’で前記デッキプレート１の山部１０及び谷部１１の変形を拘束できる形状であれば良く、図示した実施形態に限定されず、種々のバリエーションで実施可能である。
【００３２】
上記補強部材２をデッキプレート１の上部フランジへ設置するには、左右の突起部４１、４１に圧縮力を加えて内方へ弾性変形させた後、その変形状態のままデッキプレート１の段部１２へ係止させることにより行われる。
即ち、デッキプレート１の谷部１１を形成する左右傾斜部１３、１３の段部１２のそれぞれに突起部４１、４１を係止させるだけの簡単な取付作業で固定できるから、容易且つ迅速にデッキプレート１の上部フランジへ設置して補強することができる。
なお、前記デッキプレート１の谷部１１の延長方向の端部から、同デッキプレート１の段部１２へ左右の突起部４１、４１を横方向に嵌め込み、前記延長方向に沿って所定の位置までスライドさせて設置する方法も好適に行われる。
【００３３】
したがって、図９（ａ）に示した補強部材４は、前記デッキプレート１へコンクリート打設等による施工中の上載荷重が掛かっても、デッキプレート１の段部１２へ係止させた突起部４１を繋ぐ本体部４０の突っ張り作用Ｐ’で、デッキプレート１の谷部１１に働く減幅変形力Ｐに抵抗して谷部１１の変形を拘束する。更に、同谷部１１の変形を拘束することで少なくとも２組の突起部４１、４１同士を繋ぐ本体部４０の突っ張り作用Ｔ’により、山部１０に働く拡幅変形力Ｔにも抵抗して同山部１０の変形を拘束して、前記デッキプレート１の弱軸方向への撓みに抵抗するので、同デッキプレート１の撓みを確実に低減することができる。
【００３４】
また、図９（ｂ）に示した補強部材４’は、デッキプレート１へコンクリート打設等による施工中の上載荷重が掛かっても、デッキプレート１の段部１２へ係止させた突起部４１ａ、４１ｂの根元に曲げ力のみならず、軸力、剪断力も合成されて本体部４０に力が伝達されて抵抗することで、前記突起部４１ａ、４１ｂを繋ぐ本体部４０に突っ張り作用Ｐ’が働き、デッキプレート１の谷部１１に働く減幅変形力Ｐに抵抗して谷部１１の変形を拘束する。更に、同谷部１１の変形を拘束することで少なくとも２組の突起部４１ａ、４１ｂ同士を繋ぐ本体部４０の突っ張り作用Ｔ’により、山部１０に働く拡幅変形力Ｔにも抵抗して同山部１０の変形を拘束して、前記デッキプレート１の弱軸方向への撓みに抵抗するので、同デッキプレート１の撓みを確実に低減することができる。
【００３５】
また、上記補強部材４（４’）の突起部４１、４１（４１ａ、４１ｂ）による突っ張り作用Ｐ’で、デッキプレート１の係合部１４、１５（図３（ａ）、（ｂ）を参照）をしっかりと嵌め合わせることができるので、打設したコンクリートが前記係合部１４、１５の隙間から漏れ出るといった事態はなく、安全に良好に合成スラブ１の施工を行うことができる。
【００３６】
更に、上記構成の補強部材４（４’）を、山部１０と谷部１１とが傾斜部１３を介して交互に連なる波形断面を成し、前記傾斜部１３に段部１２が形成された合成スラブ用デッキプレート１上面側へ設置し、前記補強部材４（４’）を設置したデッキプレート１の上面へコンクリートを打設して成る合成スラブ構造は、デッキプレート１に上載荷重が働いた際に、デッキプレート１の段部１２に係止させた突起部４１、４１（４１ａ、４１ｂ）の突っ張り作用Ｐ’と、前記段部１２に係止させた少なくとも２組の突起部４１、４１（４１ａ、４１ｂ）同士を繋ぐ本体部４０に突っ張り作用Ｔ’で、同デッキプレート１の山部１０と谷部１１の変形を拘束する構成であるから、合成スラブの性能を高めることができ、大きな上載荷重に対応し撓みが少なく快適な床環境を構築することができる。
【００３７】
以上に本発明を図示した実施例に基づいて説明したが、本発明は上記実施例に限定されるものではない。本発明の要旨、及び技術思想を逸脱しない範囲で、当業者が必要に応じて行う設計変更や応用、変形として種々な態様で実施できることを、ここに念のため申し添える。
【符号の説明】
【００３８】
１、１’  デッキプレート
１０      山部
１１      谷部
１２      段部
１３      傾斜部
２（２ａ〜２ｄ）  補強部材
２０      本体部
２１      嵌合部
３        係止部
４        補強部材
４０      本体部
４１（４１ａ、４１ｂ）  突起部
６        コンクリート
【図１】
2013209838.tif 000003
【図２】
2013209838.tif 000004
【図３】
2013209838.tif 000005
【図４】
2013209838.tif 000006
【図５】
2013209838.tif 000007
【図６】
2013209838.tif 000008
【図７】
2013209838.tif 000009
【図８】
2013209838.tif 000010
【図９】
2013209838.tif 000011
【図１０】
2013209838.tif 000012
【図１１】
2013209838.tif 000013